(57)【特許請求の範囲】
【請求項１】
特定の症状を治療するために、標的を含む患者にあてられる電磁場を発生させるための装置であって、
所望の磁場を発生させるための所定の振幅および所定の周波数の信号を生成するための信号発生器を含み、該磁場は、該信号発生器に動作上接続されるヘルムホルツコイルにより生成され、前記信号発生器は、生成される磁場が式ｍｃ2＝Ｂｖｌｑ（式中、ｍ＝磁場をかける複数の標的のうちの１つの質量、ｃ＝光の速度、ｖ＝前記質量の慣性速度、ｌ＝その患者の長さ、およびｑ＝質量ｍの該標的に含まれる分子種およびイオン、電子またはプロトンについて、単位電荷で正規化された電荷）に当てはまり、これにより磁束密度Ｂを導き出すよう設定され、
前記信号発生器から前記信号を受け取るために接続された減衰器を含み、該減衰器はそれが接続されるヘルムホルツコイルを駆動し、該減衰器は、１０ミリガウス〜１アットガウスの減衰レンジが可能であり、および
前記減衰器に接続され、前記磁場を生成するように前記減衰器によって駆動されるヘルムホルツコイルを含み、前記標的にあてられる前記磁場が、ミリガウス〜１０-21ガウスの範囲であることを特徴とする装置。
【請求項２】
前記発生器が方形波形、正弦波形および三角波形の波形でＤＣ〜２０ＭＨｚ周波数の操作が可能であることを特徴とする、請求項１に記載の装置。
【請求項３】
前記発生器が、５０ｏｈｍの負荷成端で１ｍＶ〜１０Ｖの振幅が可能であり、前記発生器は、正確な信号関係を維持するために終端が５０ｏｈｍとなることを特徴とする、請求項２に記載の装置。
【請求項４】
前記減衰器が、ミリ（１０-3）、マイクロ（１０-6）、およびナノ（１０-9）レベルの減衰を提供する第１スイッチと、さらにマイクロ（１０-6）レベルの減衰を提供する第２スイッチとを有し、合計で１０-15の信号減衰を提供することを特徴とする、請求項２に記載の装置。
【請求項５】
前記減衰器の前記第１スイッチが、ロータリースイッチであり、前記減衰器の前記第２スイッチが、トグルスイッチである、請求項４に記載の装置。
【請求項６】
前記コイルを支持し、コイルが３６０°回転できるように、および該コイルが垂直方向および水平方向に移動できるように構成されている支持スタンドを更に含む、請求項１に記載の装置。
【請求項７】
前記ヘルムホルツコイルの中に鉄金属が組み込まれていないことを特徴とする、請求項１に記載の装置。
【請求項８】
前記ヘルムホルツコイルが、直径が１８インチであり、互いに９インチ離れている２つのコイルを含むことを特徴とする、請求項１に記載の装置。
【請求項９】
前記ヘルムホルツコイルが、直径が７フィートであり、互いに３．５フィート離れている２つのコイルを含むことを特徴とする、請求項１に記載の装置。
【請求項１０】
請求項１ないし９のいずれか１項に記載の装置の作動方法であって、
式ｍｃ2＝Ｂｖｌｑ（式中、ｍ＝磁場をかける複数の標的のうちの１つの質量、ｃ＝光の速度、ｖ＝前記質量の慣性速度、ｌ＝その患者の長さ、およびｑ＝質量ｍの該標的に含まれる分子種およびイオン、電子またはプロトンについて、単位電荷で正規化された電荷）に当てはまる磁場を発生させこれにより磁束密度Ｂを導き出すように、前記信号発生器によって発生されるべき信号を決定する工程を含むことを特徴とする方法。
【請求項１１】
特定の症状を治療するために、標的を含む患者にあてられる電磁場を発生させるための装置であって、
所望の磁場を発生させるための所定の振幅および所定の周波数の信号を生成するための信号発生器を含み、該磁場は、該信号発生器に動作上接続されるヘルムホルツコイルにより生成され、前記信号発生器は、生成される磁場が式ｍｃ2＝Ｂｖｌｑ（式中、ｍ＝磁場をかける複数の標的のうちの１つの質量、ｃ＝光の速度、ｖ＝前記質量の慣性速度、ｌ＝その患者の長さ、およびｑ＝質量ｍの該標的に含まれる分子種およびイオン、電子またはプロトンについて、単位電荷で正規化された電荷）に当てはまり、これにより磁束密度（Ｂ）を導き出すように設定され、
前記信号発生器から前記信号を受け取るために接続された減衰器を含み、該減衰器はそれが接続されるヘルムホルツコイルを駆動し、該減衰器は、１０ミリガウス〜１アットガウスの減衰レンジが可能であり、
前記減衰器に接続され、前記磁場を生成するように前記減衰器によって駆動されるヘルムホルツコイルを含み、前記標的にあてられる前記磁場が、ミリガウス〜１０-21ガウスの範囲であり、および
前記ヘルムホルツコイルを支持するための支持スタンドを含み、前記ヘルムホルツコイルが２つあって、前記支持スタンドにより、前記コイル間に配置された標的を前記所望の磁場にかけられるような相対位置に互いに支持されるようになっていることを特徴とする装置。
【請求項１２】
請求項１１に記載の装置の作動方法であって、
式ｍｃ2＝Ｂｖｌｑ（式中、ｍ＝磁場をかける複数の標的のうちの１つの質量、ｃ＝光の速度、ｖ＝前記質量の慣性速度、ｌ＝その患者の長さ、およびｑ＝質量ｍの該標的に含まれる分子種およびイオン、電子またはプロトンについて、単位電荷で正規化された電荷）に当てはまる磁場を発生させこれにより磁束密度を導き出すように、前記信号発生器によって発生されるべき信号を決定する工程を含むことを特徴とする方法。
【発明の詳細な説明】
【０００１】
関連出願のクロスレファレンス
本発明出願は米国特許第５，２６９，７４６号および１９９５年５月２４日提出の出願番号０８／４４０，８９６番に関連する。
【０００２】
技術分野
本発明は組織の様々な症状を改善するために生体組織に電磁エネルギーを適用すること、および電磁エネルギーを適用するための装置、および良好な健康状態を保つためのその効果に関する。特に本発明は特別に設計された装置を用いて特定の磁束密度と周波数の電磁波を適用することに関し、その電磁波は標的、すなわち標的組織および／またはその構成成分の質量から計算される。
【０００３】
発明の背景
従来、多くの方法が様々な疾病の治療に有用であると記載されている。この様な方法にはその目的を達成するための磁場の利用が含まれていた。従来技術のアプローチの一例は米国特許第４，３２３，０５６号であって、電磁材料、およびレーザー、マイクロウエーブおよびラジオ波（ＲＦ）で誘導される磁場等の電磁場の、様々な病状に苦しむ哺乳動物の治療への使用を数多く教示している。典型的にはこれらの技術には磁力の適用と組み合せて患者に磁気材料、例えば酸化鉄を服用させることが含まれる。すると磁気粒子は誘電およびヒステリシス損失により磁場と相互作用し、その結果加熱され、この誘導加熱がこの種の治療の治療効果となる。しかしながら、これらの先行技術の方法はいくつかの理由で治療に有効でなかった。
【０００４】
最近、組織に対する他の影響から離れて組織に健康上の効果を及ぼすために、治療目的で生体組織に電磁エネルギーを適用すること、特に標的組織の質量から計算された特定の磁束密度と周波数の電磁波を適用することを米国特許第５，２６９，７４６号は教示している。より詳しくは、米国特許第５，２６９，７４６号は癲癇症状の患者の治療法を教示している。その方法には、標的元素“ｔ”の重力エネルギーと、その中に誘導される電磁場の単位電荷あたりのエネルギーを釣り合わせることにより、適用する電磁場を計算することが含まれる。磁束密度約６×１０−６から６×１０−１０ガウスを導くため、式ｍｃ２＝Ｂｖｌｑが用いられる。患者は十分に長い時間、その磁束密度で磁場を受ける。この特許はまた、パーキンソン病患者の治療にもこの方法が使用できることを教示している。
【０００５】
係属中で現在認められている１９９５年５月２４日付け米国出願番号０８／４４０，８９６番で最近、老化過程とその影響を改善するために生体組織に電磁エネルギーを適用する方法とシステムが開示されている。完全な健康状態を維持するため、標的組織の質量から計算された特定の磁束密度と周波数の電磁波を、患者の体位を固定し一定時間適用する。老化は身体的な発育と同等であり、細胞の遺伝情報転送過程の変化であるとされている。さらに、老化は体の部品が徐々に燃焼することであるとされている。一定の磁場を適用することにより、老化過程に対する積極的な影響が観察される。
【０００６】
これらの放射線科学における新しい展望は、癌およびＡＩＤＳ等の他、様々な他の病態に対する新しいアプローチを示唆するものである。過去の開発により新しい展望に対する量子力学的原理と、臨床医学に対する根本的に異なった可能性が提示されている。量子力学とヒトの生理との関連は、生物システムが粒子の高度に非線形で偽無秩序、非平衡である凝集体であり、内因性および外因性双方の影響により常に再配列しているという事実から始まる。生物化学的解析が提供するイメージが受け入れられているが、生体系が電磁的性質を有する物理的物質粒子で構成されると言う事実はしばしば無視されることが多い。
【０００７】
物理とヒトの生理の交点が先に議論した特許と出願、および多数の他の文献に反映する、生物系と磁場の相互作用を説明するヤコブソン共鳴の概念である。
【０００８】
過去に知られており開発されたものを考慮して、ＨＩＶ（ＡＩＤＳ治療）等のウイルスおよび病原性である他の微生物を殺すための特定の磁場を発生し、適用するための装置が開発されている。さらに、その装置を発癌性再結晶、および感染性の免疫原性ＲＮＡまたはＤＮＡを正常な生体構造に再配列するために用いることができる。また、その装置を慢性痛および多発性硬化症、アルツハイマー病、癲癇およびパーキンソン病等の神経機能不全の治療に用いることもできる。本発明の装置と方法で治療できる神経疾患には慢性痛、自閉症、全身性神経筋不全、神経痛、習性攣縮（チック）、全身性中枢神経系および末梢神経系再生（喉頭性神経障害による言語障害）、脳性麻痺、注意欠陥障害（ＡＤＤ）、注意欠陥過活動性障害（ＡＤＨＤ）、失語症、卒中、不整脈、筋ジストロフィーが含まれる。
【０００９】
発明の開示
本発明の一態様に従って、標的を含む患者または患者の一部（例えば関節や器官等）にあてられる電磁場を生成するための装置および／またはシステムが提供される。本開示の目的において標的とは、患者の体内の特殊な構造物（例えばウイルスやホルモン等）、あるいは患者の一部等の他の標的、例えば原子、電子、サイトカイン、神経伝達物質、遺伝子、タンパク質、酵素、プロトン、電子、亜原子粒子、イオン（カルシウム、ナトリウム、カリウム、マグネシウム等）、細胞または細胞下の成分（細胞小器官等）、ならびにヒスタミン、ロイコトリエン（ｌｅｕｋｏｔｒｉｎｅｓ）、ドーパミン等の他の同様の構造等であっても良く、これらは以下の詳細な説明（様々なタイプの標的が記載されている）からもっと容易に分かるように当業者が容易に考えつくようなものである。
【００１０】
該装置は、所望の磁場を生成するための所定の振幅および所定の周波数の信号を生成するための信号発生器である。磁場は、該信号発生器に動作上接続されるヘルムホルツコイルにより生成される。該信号発生器は、生成される磁場が式ｍｃ2＝Ｂｖｌｑ（式中、ｍ＝磁場をかける複数の標的のうちの１つの質量、ｃ＝光の速度、ｖは該質量の慣性速度、ｌはその患者の長さ、およびｑ＝質量ｍの該標的に含まれる分子種およびイオン、電子またはプロトンについて、単位電荷で正規化された電荷）に当てはまるように動作するよう設定される。このようにこの等式は、ヘルムホルツコイルを介して生成される磁束密度Ｂを導き出すために使用される。該信号発生器から信号を受け取るために減衰器が接続され、ヘルムホルツコイルを該減衰器に接続することによりヘルムホルツコイルを駆動する。好ましくは、該発生器は５０ｏｈｍの負荷成端で１ｍＶ〜１０Ｖの振幅が可能であり、該発生器は、正確な信号関係を維持するために終端が５０ｏｈｍとなる。該減衰器は、該発生器のレンジと該減衰器の選択レンジとを合わせて、約１０ミリガウス〜約１アットガウスまでの減衰が可能である。標的にあてられる磁場は、ミリガウス〜１０-21ガウスの範囲である。ヘルムホルツコイルを支持する構造のサイズは、磁場をあてる標的に応じて、該ヘルムホルツコイルのサイズを１８インチ〜７フィートの範囲とすることができるような大きさである。
【００１１】
他の態様において、本発明は、上記装置の作動方法に関する。上記式ｍｃ2＝Ｂｖｌｑに当てはまるような磁場を生成するように、信号発生器によって発生されるべき信号が決定される。この方法は、上記装置および／またはシステムの電磁場の中に該標的を配置することを含んでもよい。
【００１２】
より具体的な態様において、電磁場は、ウイルス感染、病原性生物による感染、発癌性異常、感染性および免疫原性ＲＮＡまたはＤＮＡ、慢性痛および神経障害などの症状を治療するために適用される。神経障害には、例えば多発性硬化症およびアルツハイマー病、てんかんおよびパーキンソン病、脳性麻痺等の脳傷害、ならびに筋ジストロフィーおよび筋萎縮性側索硬化症（ＡＬＳ）等の神経筋傷害が含まれる。本発明の装置および方法を用いて治療することができる他の神経系の症状には、自閉症、神経筋障害全般、神経痛、チック病、神経障害、中枢神経系および末梢神経系の再生全般（発声を妨げる喉頭神経傷害を含む）、脳性麻痺、注意欠陥障害（ＡＤＤ）、注意欠陥過活動性障害（ＡＤＨＤ）、失語症、卒中、不整脈および筋ジストロフィーが含まれる。さらに、この電磁場は、頭痛および／または関節の痛みの症状を治療するために適用することもできる。
【００１３】
発明の詳細
図１に示される本発明の一つの特徴によれば、本発明のシステムの一部となる、様々な症状を治療するために所定の振幅と周波数の磁場を発生させるための装置１１が提供される。このことは患者中の標的、または患者に含まれる標的または患者の一部を構成する標的に磁場を適用することによって行われる。ここで言う“標的”という用語は先に定義されている。患者または患者の一部とは、患者全体、または関節、脳等の患者のサブ部分である。
【００１４】
装置１１には、好ましくはその一部としてヘルムホルツコイルを含む円盤状の２個の共鳴器１３が含まれる。共鳴器１３を搭載するために取付けネジ１５が用いられ、共鳴器は平行に並べられ相互に一定距離を離れて取付けフレーム１７に取り付けられる。システム１１では、共鳴器１３は患者の異なった標的および患者のサブ部位に磁場を照射するために、様々な位置に移動可能である。自在ノブ１９は取付けフレーム１７を自在継ぎ手ノブ調節マウント２１により第１支持体３１のエンドプラグ２９に搭載する役割をする。
【００１５】
マウント２１はボルト２５で取付けフレーム１７に取り付けたシャフト板アセンブリ２３に接続されている。図示されるレセプタクルコネクター２７は共鳴器１３に接続され（共鳴器１３の一つへの接続は図示されない）、共鳴器１３へ必要な信号を供給し、所望の磁場を発生させるために用いられる。典型的にはレセプタクルコネクター２７は例えば、市販品で容易に得られる様なＭｏｌｅｘ２−ピンミニコネクターである。
【００１６】
更に示されている様に、第１支持体３１は水平に延び、第２支持体３３のエンドプラグ４３にピン接続４５を介して接続されるエンドプラグ３５で終わる。共鳴器１３の動きを制御するために、平衡支持ロッド３７が用意され、支持部３９でピン４１により第１支持体３１に接続され、その他端でエンドキャップ４７とピン４９により旋回ブロック５９に接続される。第２支持体３３はその他端、すなわち支持体３１から離れた場所で旋回ブロック５９に固定ノブ５１で接続される。
【００１７】
旋回ブロック５９は、シャフト支持体５５内で垂直に移動可能な垂直に延びるシャフト５７に接続されており、固定ノブ５３を用いて異なった垂直位置に固定することができる。
【００１８】
シャフト支持体５５は、システムを物理的に安定に保つための釣り合い錘の一部となり、アセンブリ６１の上に搭載される。釣り合い錘６１は典型的には成形されたナイロン材料のベース６３の上に搭載さる。ワッシャー・ボルトアセンブリー６５により可動システムであるアセンブリーが完成され、システムに備えられた車輪（図示されているが、参照番号はない）によって一つの場所から他の場所へ移動できる。
【００１９】
共鳴器ディスク１３へ信号を供給するために、ケーブル６７がシステムフレームを通って延び、典型的には先に述べた様なＭｏｌｄｅｘ２−ピンミニコネクターであるレセプタクルコネクター６９で終わっている。
【００２０】
システム１１のこの実施態様では、共鳴器ディスク１３は典型的には直径１８インチであり、組み込まれたヘルムホルツコイルを有し、患者の特定の身体部位および標的に照射する磁場を発生させる。図２、３および４にさらに示す様に、共鳴器１３は約１インチ幅のディスク１０１である、典型的には非金属材料、特に非鉄材料製のディスクアセンブリを有する。例えば、ディスクはデュポン社（Ｄｕｐｏｎｔ  Ｃｏｒｐｏｒａｔｉｏｎ）が市販するＬｅｘａｎ等の材料で製造することができる。ディスク１０１を軽量化するため、材料のない切り込み領域１０３がつくられる。ディスク１０１には典型的には０．０２〜０．０５インチ幅および深さの溝１０７があり、そのエッジに沿ってその上に銅のコイルが巻かれている。中心支持体１０５によりディスク１０１は剛性が与えられ、取付けネジ１５によってフレーム１７に取り付けられる。図２の実施態様では、レセプタクルコネクター２７がその上に搭載される様に描かれている。
【００２１】
図３にさらに示される様に、ワイヤーコイル１０９が溝１０７に巻かれている。ワイヤーコイル１０９は銅であることが好ましいが、他の同等な非鉄材料をその代わりに用いることもできる。図４で拡大した形で図示されるが、円弧で囲った部分１１１に示される様に、ワイヤーコイル１０９は図４の断面拡大図で示される様に平滑に磨かれたエポキシ樹脂で覆われている。
【００２２】
図５にさらに示す様に、システム１１は減衰器と共同で作動する信号発生器によって駆動する。図５では、信号発生器２１３と減衰器２０１が回路概念図として示される。特に、図５は減衰器２０１への接続部２０７で接続されている信号発生器２１３を示している。減衰器２０１には例えばミリ（１０−３）、マイクロ（１０−６）およびナノ（１０−９）選択の切り替えのためのインピーダンス整合用ロータリースイッチ２０３が含まれる。トグルスイッチ２０５により追加マイクロ（１０−６）レベルの減衰が信号レベルに与えられる。これにより全体で１０−１５の信号減衰が得られる。相互接続はすべて標準ＢＮＣタイプコネクターで行われる。発生器の設定によってはガウス領域の磁場が可能になるので、共鳴器１３のコイル２１１はいかなる場合も信号発生器２１３に直接接続してはならない。
【００２３】
図１〜４のシステム１１では、共鳴器ディスク１３は直径１８インチであることが好ましい。本発明のまた別な実施態様が装置３０１として図６に示される。システム３０１には患者が歩いて上がるための階段付きのプラットホーム３０３が含まれる。ハンドレール３０５が患者を安定させる役割をする。この場合の共鳴器３０７は、図３および４に示される様な溝１０７の回りに巻かれるワイヤーを備える硬いディスクである。実際、図６のこの実施態様では、ディスク３０７の部品は、特に図３および４に示される様に図１〜４の実施態様のものと同等である。ディスク３０７のサイズのため、支持棒３０９が一方のディスク３０７を他方のディスク３０７と接続して安定化し、ディスク３０７はディスク支持体３１１によってプラットホーム上に搭載される。磁場計３１３が備えられ、治療中の磁場強度を測定する。図７に示される様に、ディスクは外部銅コイル支持体３０８で組み立てられ、クロスバー３１０で支えられ、図１〜４の実施態様と同様にＬｅｘａｎ材料または他の非鉄材料で製造されることが好ましい。また、ディスク３０７はその外部エッジに切り込まれた溝１０７をもち全体的に剛性であり得る。
【００２４】
図１〜４に関して先に述べた様に、図６および７のシステムには信号発生器２１３、減衰器ユニット２０１および一定距離だけ相互に離れている対である１組のコイル２１１も含まれる。共鳴器１３、３０７および搭載支持系には鉄系の材料は使用されていない。
【００２５】
図１の実施態様の場合は、車輪および固定ノブ５１〜５３上のボルトは強度上の要請から鉄系の材料である。しかしながら、この様な少量の鉄けい材料によって磁場の均一性は影響されない。信号発生器２１３は所定の磁場が正確な振幅と周波数を有するように選ばれる。典型的には発生器はＨＰ（ヒューレット・パッカード：Ｈｅｗｌｅｔｔ  Ｐａｃｋａｒｄ）３３２５Ｂ信号発生器である。発生器２０３は精密機器であり、角型、正弦および三角波形でＤＣから２０ＭＨｚの周波数を発生することが可能である。発生器２０３は５０ｏｈｍ負荷端末に１ミリボルトから１０ボルトの振幅を発生することができる。正しい信号の関係を維持するために、発生器は常に５０ｏｈｍ端末で終わる必要がある。減衰器２０１は発生器２１３により発生した信号を用いて共鳴器１３、３０７のコイル２４を駆動する。
【００２６】
減衰器２０１の回路（図５）は注文仕様であり、発生器２１３とインピーダンスが整合し、信号に対する減衰を選択することができる。発生器レンジと減衰器選択レンジを組み合せることにより、減衰は１０ミリガウスから１アットガウスの範囲となる。従って、達成される磁束密度の範囲は約１０ミリガウスから約１アットガウスの範囲とすることができる。発生した磁場はＤＣから約１０００Ｈｚの多重調和周波数であり、式Ｆ＝ｑＢ／２πｍｑから導かれる。ここでｑはカルシウムイオン等のイオンまたはプロトンまたは電子等の荷電種の電荷、または同等の単位（例えばタンパク質またはＤＮＡの場合）、Ｆは周波数であり、Ｂは磁束密度であり、ｍｑは荷電種の質量である。ユニット内の回路は、信号発生器２１３に対する完全な回路であることを確認するためにシステムの組み立て後に連続性を立証する。ユニットは、先に述べた様にミリ（１０−３）、マイクロ（１０−６）およびナノ（１０−９）のインピーダンス整合のための選択のロータリースイッチ２０３と、マイクロ（１０−６）レベルの追加減衰を上述の信号レベルに誘導するためのトグルスイッチ２０５の２個のスイッチを有する。これにより全体で１０−１５の信号減衰が可能になる。先に述べた様に、相互接続はすべて標準ＢＮＣ型コネクターで行われる。
【００２７】
磁場は共鳴器１３、３０７に組み込まれた簡易ヘルムホルツコイル２１１で発生する。図１の実施態様では、共鳴器１３は直径１８インチであり、相互に９インチ離れている。共鳴器１３に組み込まれたヘルムホルツコイル２１１は、例えば１平方インチＬｅｘａｎ材料製の１８インチディスクの回りの５巻きの３７番ゲージのワイヤーで構成される。ディスクはエッジに０．０２０〜０．０５０×０．０２０〜０．０５０インチの溝を有し、コイル巻き１０９を覆うために用いられるエポキシ充填剤１１３を有する。共鳴器１３は黒色光沢エナメル仕上げで終わっている。ディスク共鳴器１３の内部１０３は重量を減らすために取り除かれている。先に述べた様に、コイル２１１の相互接続はＭｏｌｅｘコネクター等の２−ピン刷り合わせコネクターで行われる。図６および７の共鳴器３０７の場合は、直径７フィートで約３．５フィート離れていることが好ましい。
【００２８】
図１に示す様に、装置１１では共鳴器１３のコイル２１１は適切に離れて搭載されている。装置１１は１８０°の回転と９０°の旋回が可能である。図１のシステムの場合、装置１１は２角が補強されたインチＰＶＣチューブと、強度と剛性をさらに増すための裏打ちブロックで製作されることが好ましい。全てのハードウエアの搭載はナイロン１／４−２０ネジで行われる。
【００２９】
図示される様に装置１１には釣り合い錘６１とワッシャーボルトアセンブリ６５を含む支持スタンドが含まれ、シャフト支持体５５と固定ノブ５３により、約３フィートの垂直および水平運動で装置を３６０°回転させ、装置１１を任意の場所で固定することができる。これにより装置１１の位置決めや固定を極めて自由に行うことができる。装置１１の支持スタンドはＰＶＣ製であり、サブアセンブリを真鍮部材で相互に接続する。
【００３０】
システムのベースに関して、釣り合い錘６１は約６５ポンドであることが好ましい。システムのベースは対衝撃性の高いナイロンで製作され、３６０°回転可能のスイベル付きの２５０ポンド以上を支持する。釣り合い錘６１はＰＶＣ製で５０ポンドの砂が充填されている。
【００３１】
運転時には、固定５ボルト信号を減衰器２０１入力端子に与えて、図５に示されるコイル２１１試験出力端子にコイル２１１を差し込み、信号発生器２１３および減衰器２０１回路の確認が行われる。信号発生器２１３上のＬＥＤ（図示せず）が点灯し、完全な回路が得られたことを示す。次いで発生器２１３信号をゼロボルトに戻し、システムは使用可能になる。
【００３２】
磁場はヘルムホルツ形態で製作されたコイル２１１の各セット用の特徴を有する。磁場の特徴により、コイル２１１領域内に偽３次元関係が生じる。各ヘルムホルツコイルの形態は３つの垂直面（左、右および中央）それぞれに９点の２７個のデーターポイントで特徴付けられる。磁場の特性により、コイル場領域内の所定の位置で磁場強度を指定することができる。
【００３３】
磁場特性を決めた後、データを３つの垂直平面領域で平均し、発生器２１３の定と比較して磁場の相関を決める。その相関により磁場強度レベルを発生器２１３の設定に対して補正する。発生器２１３に対する磁場の相関では、１ボルトの信号が１ミリガウスに等しい。この関係は発生器２１３からの１ボルト信号と、ミリガウス領域の減衰器２０１の設定に基づいている。
【００３４】
７個のフット共鳴器３０７が備えられる図６および７の実施態様についても、設定は上記と同様に行われる。
【００３５】
ここで本発明の装置１１、３０１の仕様を参照すると、身体上の外部起源の磁場の影響を制御することが可能であるということに基づき使用されている。周波数と振幅で相互作用する共鳴エネルギーを与えることにより、分子を振動させることが可能である。振幅とは磁場の磁束密度強度のことである。生理的振幅は、先に説明したヤコブソン共鳴による既知の分子振動と相関する。先に述べた様に、ヤコブソン共鳴ではｍｃ２＝Ｂｖｌｑであり、ｍは質量、ｃは光の速度、Ｂは磁束密度、ｖは慣性速度、ｌは長さ、ｑは１クーロンに正規化された電荷である。従って、周波数は磁束密度×単位電荷を質量で割った価に等しく、生物システムが変ると調節される。
【００３６】
先に述べたシステムにより実行される本発明の方法の場合は、ヤコブソン共鳴は以下の連続関数で与えられる：
【数１】
0004214185.tif 000002
【００３７】
上述の表現は質量の内因性エネルギーと、体と磁束または磁場ベクトルとの相互作用で得られる相互作用エネルギーとの同等性を表す。固有値と固有ベクトルを生物システムのパラメーターで解析する必要がある。自然の代数表現は一般的感覚で近似されるが、計算は細部に応用される。
【００３８】
従って、本発明によれば、共鳴エネルギーと共鳴の鋭さが駆動振動系に不可欠である。振動系が鋭く共鳴する場合、共鳴条件を得るためには注意深い微調整が必要である。従って、以下の説明および議論からヤコブソン磁気共鳴の効果を異なった目的のために本発明のシステムに従って使用し得ることが明らかである。
【００３９】
特定の型の局所痛には１８インチの共鳴器で十分である。７フィート共鳴器は全ての治療に用いることができる。通常の技術と技能を有する当業者には明らかである様に、中間のサイズも提供され、例えば３フィート共鳴器を背筋の痛みのために用いることができる。従って本発明によるシステムは多数の異なった病状、特に痛みおよび神経不全に対する方法で用いられる。さらに、システムはウイルス、および病原性の他の微生物を殺すために使用し得ると信じられている。システムを発癌性再結晶、および感染性の免疫原性ＲＮＡまたはＤＮＡを正常な生体構造に再配列するために用いることができる。多発性硬化症およびアルツハイマー病等の慢性の痛みまたは神経疾患の他、癲癇、パーキンソン病、大脳麻痺、筋萎縮性側索硬化症（ＡＬＳ）の治療も、ミリガウスから１０−２１ガウスの多重共鳴高調波周波数を用いて行うことができる。
【００４０】
特定の分野の応用に関して、典型的に用いられる周波数は以下の表に示される。特に、以下の表は患者および／または患者の部位におけるタイプの異なった標的／病状に照射される磁場を発生するための好ましい設定および一般的プロトコールを示す。表は以下に示す様に異なった病状に対するガウス設定で分類されている。
【００４１】
振幅は図５に示すシステムの信号発生器２１３で設定される。示される周波数はシステムの減衰器２０１の適当な設定で行われる。
【表１】
0004214185.tif 000003
【００４２】
以下の表でプロトン周波数はすべて実用的な目的では不変であり、例えば０．０００５Ｈｚに設定されるが、容易に分かる様に他の価も用いられる。患者の標的は以下の表で同定される。
【表２】
0004214185.tif 000004
【表３】
注意：以下のすべての患者部位はパーキンソン病および／または多発性硬化症の病状に対する脳である。磁場照射時間は約３０〜４０分に設定される。
0004214185.tif 000005
【表４】
注意：以下のすべての患者部位は、骨症状の結果を含む痛みが感じられる関節である。磁場照射の全時間は、以下に示す電圧と周波数が時間と共に増加する約５６分に設定する。
0004214185.tif 000006
【表５】
注意：以下のすべての患者部位は、偏頭痛または群発性頭痛が感じられる脳である。磁場照射時間は以下のような時間増加で約４０分に設定する。
0004214185.tif 000007
【表６】
注意：以下のすべての患者部位は、神経障害を受けたマウスである。磁場を照射して神経を再生する。
0004214185.tif 000008
【００４３】
表に示した上述のプロトコルに加えて、多数の患者で行われた試験における特定の病状に対する以下の磁場照射に例が示される。特に、本発明の装置および方法を、以下の例に示す以下の分類と診断に分けられる膝の痛みの治療に用いられた。振幅と周波数は実施例の表に示される。
【００４４】
【実施例１】
膝の痛みの原因を以下の様に分け、行われた治療を示す：
【００４５】
１．縮退（骨関節炎）、半月尖体、痛風関節炎を含む筋骨格。図１のシステムを用い、以下のサブ時間中、以下の様に振幅と周波数を変えて全体で５４分間、磁場を照射して治療が行われた。
【表７】
0004214185.tif 000009
【００４６】
２．圧迫神経症障害を含む神経原性腰椎神経根障害（挫骨神経痛）、末梢神経痛。図１のシステムを用い、最初の３０分のサブ時間、およびその後１分間のサブ時間中、以下の様に振幅と周波数を変えて全体で５２分間、磁場を照射して治療が行われた。
【表８】
0004214185.tif 000010
【００４７】
患者がまだ痛みを感じる場合には、さらに１０分間、７．７Ｈｚで０．２７４ボルトの信号を追加した。
【００４８】
３．骨関節炎を含む炎症を治療した。図１のシステムを用い、全体で４２分、６分間のサブ時間中、以下の様に振幅と周波数を変えて磁場を照射して治療が行われた。
【表９】
0004214185.tif 000011
【００４９】
指定されたプロトコル後に上述の病状を治療したすべての場合に、各症状の改善が見られた。この場合、式ｍｃ２＝Ｂｖｌｑ中のｌは生体または患者全体、または関節または体のその他任意のサブ構成物の長さである。式中、ｍは体の中または体の機能に関連する臨界分子、原子またはサブ原子粒子である。
【００５０】
【実施例２】
別な実施例では、膝に痛みのある患者を着席させた。この場合１８インチの実施態様である共鳴器１３を２個の共鳴器１３の間に置かれた膝を含む肢に対して縦方向に置いた。振幅を０．２０ボルト、周波数を５．６Ｈｚに設定した。システムを４２分間作動させた。作業の終わりに患者を再度評価し、患者の日誌と技師の日誌に記録した。実施例１の場合と同様、症状の改善と痛みの減少が見られた。
【００５１】
【実施例３】
本発明のシステムの使用による改善の観察を更に支援するため、ヤコブソン共鳴の効果をマウスの座骨神経に関して生体外で研究した。４片の左右神経を切り出すために麻酔薬を使用した。神経を培地中で維持した。神経片の中の２個を対照とし、残りの２個を一日３５分間、ヤコブソン共鳴に露出した。その後のプロトコルを表Ａに示す。
【表１０】
0004214185.tif 000012
＊  神経を表Ａに示す順序で２．５分間、５日間合計３５分、振幅と周波数の各組み合せに露出した。
＊＊  所定の磁場の振幅と周波数を計算するのに使用した極限分子の質量を使用した。
【００５２】
５日間の終わりに、神経片の寸法を調べると、処置した神経片は長さと厚さでかなり成長が見られた。光学顕微鏡（倍率４０倍）下の組織学的研究から、対照グループでは成長と修復が見られなかった。対照的に、処置グループでは正常なミエリン鞘で囲まれた軸索の数と寸法で示されるかなりの成長と修復が見られた。電子顕微鏡による研究（倍率４０、０００倍）では、対照グループでミエリン鞘の乱れが見られた。さらに、まばらで不規則に並んだミクロチューブルを有するミエリンのない繊維が見られた。対照グループ切片中のミトコンドリアは不活性なオーソドックスコンフォーメーションを有し、シュワン細胞は液胞で膨れ上がっていた。処置した神経の断面は正常なミエリン鞘と同時にミクロチューブルとミクロ繊維の正常な分布を示した。シュワン細胞は正常な形状を示し、ミトコンドリアは同化活性を示す凝集コンフォーメーションであった。観察結果は、ヤコブソン共鳴に露出すると神経細胞の正常な細胞内構造を維持すると同時に、修復と成長が促進されることを示した。
【００５３】
この研究は殆どが座骨神経由来であるさらに２４個の神経切片で再現した。すべての神経切片は成長を示した。最初の研究はこれで確認された。以下の表は観察結果を示すものである。
【表１１】
0004214185.tif 000013
【００５４】
先に示した表Ｉ〜ＶＩに示す特定の病状に対するプロトコルに加えて、他の病状に対する別なプロトコルが以下の表に示される。実際に臨床試験が行われ結果が得られた場合は、その様に記されている。
【００５５】
【表１２】
以下のプロトコルは期間神経再生を行うために、筋萎縮性側索硬化症、卒中および多発性硬化症の後に行われる。これはマイクロガウス設定で行われた。
0004214185.tif 000014
【００５６】
【表１３】
以下のプロトコルは身長４２インチの脳性麻痺の患者の症例に対し行われた。これは以下に示す様にマイクロガウス設定で行われた。治療後、症状の顕著な改善が見られた。
0004214185.tif 000015
【００５７】
【表１４】
以下のプロトコルはパーキンソン病、多発性硬化症、アルツハイマー病および卒中に行われた。これは１８インチ共鳴器を用いてマイクロガウス設定で行われた。
0004214185.tif 000016
共鳴器を前から後ろに回転し、患者は約２０〜３０分休止させた。次いで治療を以下の様に継続した。
【表１５】
0004214185.tif 000017
【００５８】
【表１６】
以下のプロトコルを筋痙攣、腱鞘炎（肘）、痙攣後に行った。１８インチ共鳴器をミクロガウス設定で用いた。
0004214185.tif 000018
【００５９】
必要あれば、さらに下記の時間、治療を行った。
【表１７】
0004214185.tif 000019
【００６０】
【表１８】
以下のプロトコールを、言語不能をもたらす喉頭神経障害を有する患者に行った。７フィート共鳴器をマイクロガウス設定で使用した。治療後、患者は話すことができた。
0004214185.tif 000020
【００６１】
上述の様に本発明を説明してきたが、本発明を制約せず提示する意図である付随するクレームで本発明をより良く理解し得るものと思われる。
【図面の簡単な説明】
このように本発明について簡単に説明してきたが、関連する添付図面を参照して以下で詳細に説明することによりさらによく理解されるであろう。
【図１】  システム操作に用いられる信号発生器に接続されるコネクターと減衰器を有する、本発明の装置の一部の斜視図である。
【図２】  本発明による磁場を発生させるための組み込みヘルムホルツコイルを有する共鳴器の平面図である。
【図３】  図２の共鳴器の背面図である。
【図４】  図３の共鳴器部分の拡大部分断面背面図である。
【図５】  本発明による相互接続された信号発生器、減衰器および共鳴器（ヘルムホルツコイル）の一例を示す回路図である。
【図６】  より大きなヘルムホルツコイル支持構造が示される、本発明の別な実施態様の斜視図である。
【図７】  図６の実施態様に用いられるヘルムホルツコイル支持構造の平面図である。
【図１】
0004214185.tif 000021
【図２】
0004214185.tif 000022
【図３】
0004214185.tif 000023
【図４】
0004214185.tif 000024
【図５】
0004214185.tif 000025
【図６】
0004214185.tif 000026
【図７】
0004214185.tif 000027